(57)【要約】      （修正有）【課題】木くずの排出通路の改善を図った木工用回転刃物装置を提供する。【解決手段】木工用回転刃物装置Ｋは、台金１と、台金１の周部に設けた凹状溝２と、この凹状溝２の一側壁２ａに当接させて刃先３ａを台金１の周面部より突出させると共に、貫通する取り付け孔を有する刃物体３と、刃物体３の凹状溝２の一側壁２ａに当接する面は、当接面であり、この当接面と反対側の面は、反対側面３ｄであり、刃物体３の取り付け孔は、当接面と反対側面３ｄを貫通する孔であり、取り付け孔を介して凹状溝２の一側壁２ａに刃物体３を取り付ける雄ネジ４と、この雄ネジ４の頂部４ａは、反対側面３ｄより低い位置にある。【選択図】図４
0003133454.tif 000002
【実用新案登録請求の範囲】
【請求項１】
台金と、
該台金の周部に設けた凹状溝と、
この凹状溝の一側壁に当接させて刃先を前記台金の周面部より突出させると共に、貫通する取り付け孔を有する刃物体と、
前記刃物体の前記凹状溝の一側壁に当接する面は、当接面であり、この当接面と反対側の面は、反対側面であり、
前記刃物体の前記取り付け孔は、前記当接面と前記反対側面を貫通する孔であり、
前記取り付け孔を介して前記凹状溝の一側壁に前記刃物体を取り付ける雄ネジと、
この雄ネジの頂部は、前記反対側面と同面である
ことを特徴とする木工用回転刃物装置。
【請求項２】
台金と、
該台金の周部に設けた凹状溝と、
この凹状溝の一側壁に当接させて刃先を前記台金の周面部より突出させると共に、貫通する取り付け孔を有する刃物体と、
前記刃物体の前記凹状溝の一側壁に当接する面は、当接面であり、この当接面と反対側の面は、反対側面であり、
前記刃物体の前記取り付け孔は、前記当接面と前記反対側面を貫通する孔であり、
前記取り付け孔を介して前記凹状溝の一側壁に前記刃物体を取り付ける雄ネジと、
この雄ネジの頂部は、前記反対側面より低い位置にある
ことを特徴とする木工用回転刃物装置。
【請求項３】
雄ネジの頂部には、工具の係止部に係止される被係止部が形成されている
ことを特徴とする請求項１又は２記載の木工用回転刃物装置。
【請求項４】
雄ネジの頂部は、反対側面よりＨの高さ低い位置にあり、このＨの高さは、刃物体を凹状溝の一側壁に取り付けた状態で、前記反対側面を研磨する研磨代として利用する
ことを特徴とする請求項２記載の木工用回転刃物装置。
【考案の詳細な説明】
【技術分野】
【０００１】
本考案は、木工用回転刃物装置に係り、特に、木くずの排出通路の改善を図った木工用回転刃物装置に関する。
【背景技術】
【０００２】
木工用回転刃物装置、例えば、カッタ本体（１）[台金］と、該カッタ本体（１）[台金］の周部に設けた切欠部（３）［凹状溝］と、この切欠部（３）［凹状溝］の一側壁に当接させて刃先をカッタ本体（１）[台金］より突出させると共に、貫通する取り付け孔を有する替刃（１０）［刃物体］とを備え、替刃（１０）［刃物体］は締付ボルト（５）により、カッタ本体（１）[台金］に取  り付けられるようになっている（例えば、特許文献１、図１参照）。
【０００３】
ところが、締付ボルト（５）の頂部は、替刃（１０）［刃物体］より突出しているため、木を切削する際生じる木くずが、締付ボルト（５）の頂部に衝突し、衝撃音を発して騒音の要因となると共に、該木くずの抵抗となって切削抵抗を増加させ、更に、木くずに含まれる木のヤニ（樹液）が締付ボルト（５）の頂部に付着し易く、木のヤニ（樹液）が付着すると、該木のヤニ（樹液）に切削した木くずが更に付着し、該木くずが替刃（１０）［刃物体］の排出通路を狭めて、切削抵抗を更に増加させ、引いては、切削効率を低下させるという問題点が生じた。
【特許文献１】実公平７−５５０４１号公報（図１）
【考案の開示】
【考案が解決しようとする課題】
【０００４】
本考案は、前記した問題点を除去するようにした木工用回転刃物装置を提供することを目的としている。
【課題を解決するための手段】
【０００５】
前記した目的を達成するための請求項１記載の木工用回転刃物装置は、台金と、該台金の周部に設けた凹状溝と、この凹状溝の一側壁に当接させて刃先を前記台金の周面部より突出させると共に、貫通する取り付け孔を有する刃物体と、前記刃物体の前記凹状溝の一側壁に当接する面は、当接面であり、この当接面と反対側の面は、反対側面であり、前記刃物体の前記取り付け孔は、前記当接面と前記反対側面を貫通する孔であり、前記取り付け孔を介して前記凹状溝の一側壁に前記刃物体を取り付ける雄ネジと、この雄ネジの頂部は、前記反対側面と同面である。
【０００６】
また、請求項２記載の木工用回転刃物装置は、台金と、該台金の周部に設けた凹状溝と、この凹状溝の一側壁に当接させて刃先を前記台金の周面部より突出させると共に、貫通する取り付け孔を有する刃物体と、前記刃物体の前記凹状溝の一側壁に当接する面は、当接面であり、この当接面と反対側の面は、反対側面であり、前記刃物体の前記取り付け孔は、前記当接面と前記反対側面を貫通する孔であり、前記取り付け孔を介して前記凹状溝の一側壁に前記刃物体を取り付ける雄ネジと、この雄ネジの頂部は、前記反対側面より低い位置にある。
【０００７】
また、請求項３記載の木工用回転刃物装置は、請求項１又は２記載の木工用回転刃物装置において、雄ネジの頂部には、工具の係止部に係止される被係止部が形成されているものである。
【０００８】
また、請求項４記載の木工用回転刃物装置は、請求項２記載の木工用回転刃物装置において、雄ネジの頂部は、反対側面よりＨの高さ低い位置にあり、このＨの高さは、刃物体を凹状溝の一側壁に取り付けた状態で、前記反対側面を研磨する研磨代として利用するものである。
【考案の効果】
【０００９】
請求項１記載の木工用回転刃物装置によれば、刃物体は、取り付け孔を介して凹状溝の一側壁に雄ネジにより取り付けられると共に、該雄ネジの頂部は、一側壁に刃物体が当接する当接面と反対側の面である反対側面と同面で、従来のように雄ネジの頂部が突出していないため、騒音が低減化すると共に、木を切削する際の木くずの抵抗とならず、しかも、従来のように雄ネジに木のヤニ（樹液）が付着せず、木くずが付着して排出通路を狭め、切削抵抗を増加させることをも防いで、切削効率を向上させることができる。
【００１０】
また、請求項２記載の木工用回転刃物装置によれば、刃物体は、取り付け孔を介して凹状溝の一側壁に雄ネジにより取り付けられると共に、該雄ネジの頂部は、一側壁に刃物体が当接する当接面と反対側の面である反対側面より低い位置で、従来のように雄ネジの頂部が突出していないため、騒音が低減化すると共に、木を切削する際の木くずの抵抗とならず、しかも、従来のように雄ネジに木のヤニ（樹液）が付着せず、木くずが付着して排出通路を狭め、切削抵抗を増加させることをも防いで、切削効率を向上させることができる。
【００１１】
また、請求項４記載の木工用回転刃物装置によれば、前述した請求項２記載の考案の効果に加え、雄ネジの頂部は、反対側面よりＨの高さ低い位置にあり、このＨの高さは、刃物体を凹状溝の一側壁に取り付けた状態で、前記反対側面を研磨する研磨代として利用することができるため、刃物体を凹状溝の一側壁に取り付けた状態で、反対側面を研磨して刃先の研磨をすることができる。
【考案を実施するための最良の形態】
【００１２】
本考案の一実施例の木工用回転刃物装置を図面を参照して説明する。
図１〜図４において、Ｋは木工用回転刃物装置で、木工用回転刃物装置Ｋは  、概略的に、台金（刃物のボディ）１と、該台金１の周部に設けた凹状溝２と、この凹状溝２の一側壁２ａに当接させて刃先３ａを台金１の周面部より突出させると共に、貫通する取り付け孔３ｂを有する刃物体３とから構成されている。
なお、凹状溝２は、複数、本実施例では、４個、設けられ、これに伴い、刃物体３も、複数、本実施例では、４個、設けられている。
【００１３】
刃物体３の凹状溝２の一側壁２ａに当接する面は、図２に示すように、当接面３ｃであり、この当接面３ｃと反対側の面は、反対側面３ｄであり、刃物体３の取り付け孔３ｂは、当接面３ｃと反対側面３ｄを貫通する孔であり、刃物体３は、取り付け孔３ｂを介して凹状溝２の一側壁２ａに雄ネジ４により取り付けられている。
雄ネジ４の頂部４ａは、図４に示すように、反対側面３ｄよりＨの高さ低い位置にあり、Ｈは、例えば、０．１mmで、このＨの高さは、刃物体３の刃先３ａが摩耗した場合、刃物体３を凹状溝２の一側壁２ａに取り付けた状態で、反対側面３ｄを研磨する研磨代として利用することができる。
また、雄ネジ４の頂部４ａの凹溝部４ｂには、工具５の係止部５ａに係止される被係止部が形成されて、雄ネジ４の脱着を容易にしている。
【００１４】
従って、上述した木工用回転刃物装置Ｋによれば、刃物体３は、取り付け孔３ｂを介して凹状溝２の一側壁２ａに雄ネジ４により取り付けられると共に、該雄ネジ４の頂部４ａは、凹状溝２の一側壁２ａに刃物体３が当接する当接面３ｃと反対側の面である反対側面３ｄより低い位置で、従来のように雄ネジの頂部が突出していないため、騒音が低減化すると共に、木を切削する際の木くずの抵抗とならず、しかも、従来のように雄ネジに木のヤニ（樹液）が付着せず、木くずが付着して排出通路を狭め、切削抵抗を増加させることをも防いで、切削効率を向上させることができる。
【００１５】
なお、上述した実施例にあっては、雄ネジ４の頂部４ａは、反対側面３ｄよりＨの高さ低い位置に設定したが、本願考案にあっては、これに限らず、Ｈ＝０、つまり、雄ネジ４の頂部４ａと反対側面３ｄとを同面としても、上述した実施例と同様な効果を有する。
【００１６】
また、本願考案にあっては、上述した実施例（図１〜図４）記載のものに限らず、図５〜図８記載の木工用回転刃物装置（座堀カッタ）Ｋ’でも良い。
図５〜図８記載の木工用回転刃物装置（座堀カッタ）Ｋ’は、上述した実施例と同様に、台金（刃物のボディ）１と、該台金１の周部に設けた凹状溝２と、この凹状溝２の一側壁２ａに当接させて刃先３ａを台金１の周面部より突出させると共に、貫通する取り付け孔３ｂを有する刃物体３とを有し、雄ネジ４の頂部４ａは、刃物体３の当接面３ｃと反対側の面である反対側面３ｄと同面または反対側面３ｄより低い位置にある。
これに加え、図５〜図８記載の木工用回転刃物装置（座堀カッタ）Ｋ’には、中心部に錐６、台金１の周面部に毛引刃７が、それぞれ設けられている。なお、図５に示す８は、加工する木材である。
【図面の簡単な説明】
【００１７】
【図１】図１は、本考案の一実施例の木工用回転刃物装置の概略的正面図である。
【図２】図２は、図１の一部を拡大すると共に、分解して示す概略的一部拡大分解断面図である。
【図３】図３は、図１の一部を拡大して示す概略的一部拡大断面図である。
【図４】図４は、図３の一部を拡大して示す概略的一部拡大断面図である。
【図５】図５は、図１と異なる他の実施例の木工用回転刃物装置の加工状態の概略的断面図である。
【図６】図６は、図５の木工用回転刃物装置を分解して示す概略的分解図である。
【図７】図７は、図６の一部の概略的断面図である。
【図８】図８は、図７の一部を分解して示す概略的分解断面図である。
【符号の説明】
【００１８】
Ｋ      …………木工用回転刃物装置
１      …………台金
２      …………凹状溝
３      …………刃物体
３ａ    …………刃先
３ｂ    …………取り付け孔
３ｃ    …………当接面
３ｄ    …………反対側面
４      …………雄ネジ
【図１】
0003133454.tif 000003
【図２】
0003133454.tif 000004
【図３】
0003133454.tif 000005
【図４】
0003133454.tif 000006
【図５】
0003133454.tif 000007
【図６】
0003133454.tif 000008
【図７】
0003133454.tif 000009
【図８】
0003133454.tif 000010